(57)【要約】【課題】建物内において自由な配置を可能としたメーターボックスユニットを提供する。【解決手段】天井面３１と床面３２を備えた建物躯体３０に対して下地材２を固定し、下地材に対してボックス本体３を取付け、ボックス本体は前面に開閉自在な開き扉４を有し、下部下地材１５は床面と平行なパネル固定部１６と、上方に延出される内周面部１７と、内周面部の上端から延出される当接面部１８とからなり、ボックス本体３は側面を構成するパネル体２０と、前面を構成する枠形状の前面フレーム体２１とを有し、パネル体２０は下部下地材のパネル固定部１６に載置固定され、内側面が当接面部１８に当接し、前面フレーム体２１は上フレーム材２２と下フレーム材２３及びこれらの背面側に固定される左右の縦フレーム材２４とからなり、縦フレーム材２４は下端部が下部下地材の当接面部１８の切欠部１９に配置され固定される。【選択図】図３
2010095933.tif 000002
【特許請求の範囲】
【請求項１】
天井面と床面を備えたＲＣ造またはＳＲＣ造からなる建物躯体に対して下地材を固定し、該下地材に対してボックス本体を取付けてなり、該ボックス本体は前面に開閉自在な開き扉を有してなるメーターボックスユニットであって、
前記下地材は、前記天井面に対し奥行き方向に沿ってそれぞれ左右両端に設けられる上部下地材と、前記床面に対し奥行き方向に沿ってそれぞれ左右両端に設けられる下部下地材とからなり、該下部下地材は前記床面と平行な載置面を有するパネル固定部と、該パネル固定部の内側端部から上方に延出される内周面部と、該内周面部の上端から外方に向かって略Ｌ字状に延出される当接面部とからなり、該当接面部は前端部分が切欠かれた切欠部を有し、
前記ボックス本体は側面を構成するパネル体と、前面を構成し前記開き扉を開閉自在に保持する枠形状の前面フレーム体とを有し、前記パネル体は前記下部下地材のパネル固定部に載置固定されると共に、内側面が前記当接面部に当接し、前記前面フレーム体は上フレーム材と下フレーム材及び該上フレーム材及び下フレーム材の背面側に固定される左右の縦フレーム材とからなり、該縦フレーム材は下端部が前記下部下地材の切欠部に配置され固定されることを特徴とするメーターボックスユニット。
【請求項２】
前記上部下地材は前記天井面と平行な上面部と、該上面部の内側端部から下方に延出される上内周面部と、該上内周面部の下端から外方に向かって略Ｌ字状に延出される上当接面部とからなり、該上当接面部は前端部分が切欠かれた上切欠部を有し、
前記パネル体は内側面が前記上部下地材の上当接面部に当接し、前記前面フレーム体を構成する縦フレーム材は上端部が前記上部下地材の上切欠部に配置され固定されることを特徴とする請求項１記載のメーターボックスユニット。
【請求項３】
前記前面フレーム体を構成する上フレーム材と下フレーム材は前面が平面状に形成されると共に、前記開き扉の前面と略面一状とされることを特徴とする請求項１または２記載のメーターボックスユニット。
【請求項４】
前記下部下地材の切欠部に配置された前記縦フレーム材は前記内周面部の内周面側から挿通される締結具により固定されることを特徴とする請求項１〜３のいずれか１項に記載のメーターボックスユニット。
【請求項５】
前記下地材及び前面フレーム体は金属材からなり、前記パネル体は軽量気泡コンクリート板からなることを特徴とする請求項１〜４のいずれか１項に記載のメーターボックスユニット。
【発明の詳細な説明】
【技術分野】
【０００１】
本発明は、ＲＣ造またはＳＲＣ造の建物躯体に取付けられるメーターボックスユニットに関し、特に建物躯体に対して下地材を固定し該下地材にボックス本体を取付けることで自由な配置を可能としたメーターボックスユニットに関する。
【背景技術】
【０００２】
従来、鉄筋コンクリート（ＲＣ）造や鉄骨鉄筋コンクリート（ＳＲＣ）造の建物躯体において、メーターボックスが設置されていた。メーターボックスは、建物の廊下に面するように配置され、前面側には開き扉が設けられると共に、その内側にメーター類が配設される。従来のメーターボックスは、建物躯体を構成するコンクリートによって予め側壁を形成しておき、この側壁に対して金属製の開き扉を開閉自在に取付けるようにしていた。従来のメーターボックスとしては、例えば特許文献１に挙げるようなものがある。
【特許文献１】特開平８−１３７７０号公報
【発明の開示】
【発明が解決しようとする課題】
【０００３】
しかし、従来のメーターボックスは、建物躯体に予め側壁をコンクリートにより形成しておく必要があり、配置の自由度が乏しかった。すなわち、建物設計の早い段階でメーターボックスの配置が決定されてしまい、後で変更することが困難であった。また、従来のメーターボックスは構造が複雑であり、さらに外壁との一体感にも乏しいものであった。
【０００４】
本発明は、上記課題を解決すべくなされたものであり、建物内において自由な配置を可能とし、また簡易な構造で外壁と一体感を持たせることのできるメーターボックスユニットを提供することを目的とする。
【課題を解決するための手段】
【０００５】
上記課題を解決するため、本発明に係るメーターボックスユニットは、天井面と床面を備えたＲＣ造またはＳＲＣ造からなる建物躯体に対して下地材を固定し、該下地材に対してボックス本体を取付けてなり、該ボックス本体は前面に開閉自在な開き扉を有してなるメーターボックスユニットであって、
前記下地材は、前記天井面に対し奥行き方向に沿ってそれぞれ左右両端に設けられる上部下地材と、前記床面に対し奥行き方向に沿ってそれぞれ左右両端に設けられる下部下地材とからなり、該下部下地材は前記床面と平行な載置面を有するパネル固定部と、該パネル固定部の内側端部から上方に延出される内周面部と、該内周面部の上端から外方に向かって略Ｌ字状に延出される当接面部とからなり、該当接面部は前端部分が切欠かれた切欠部を有し、
前記ボックス本体は側面を構成するパネル体と、前面を構成し前記開き扉を開閉自在に保持する枠形状の前面フレーム体とを有し、前記パネル体は前記下部下地材のパネル固定部に載置固定されると共に、内側面が前記当接面部に当接し、前記前面フレーム体は上フレーム材と下フレーム材及び該上フレーム材及び下フレーム材の背面側に固定される左右の縦フレーム材とからなり、該縦フレーム材は下端部が前記下部下地材の切欠部に配置され固定されることを特徴として構成されている。
【０００６】
また、本発明に係るメーターボックスユニットは、前記上部下地材は前記天井面と平行な上面部と、該上面部の内側端部から下方に延出される上内周面部と、該上内周面部の下端から外方に向かって略Ｌ字状に延出される上当接面部とからなり、該上当接面部は前端部分が切欠かれた上切欠部を有し、
前記パネル体は内側面が前記上部下地材の上当接面部に当接し、前記前面フレーム体を構成する縦フレーム材は上端部が前記上部下地材の上切欠部に配置され固定されることを特徴として構成されている。
【０００７】
さらに、本発明に係るメーターボックスユニットは、前記前面フレーム体を構成する上フレーム材と下フレーム材は前面が平面状に形成されると共に、前記開き扉の前面と略面一状とされることを特徴として構成されている。
【０００８】
さらにまた、本発明に係るメーターボックスユニットは、前記下部下地材の切欠部に配置された前記縦フレーム材は前記内周面部の内周面側から挿通される締結具により固定されることを特徴として構成されている。
【０００９】
そして、本発明に係るメーターボックスユニットは、前記下地材及び前面フレーム体は金属材からなり、前記パネル体は軽量気泡コンクリート板からなることを特徴として構成されている。
【発明の効果】
【００１０】
本発明に係るメーターボックスユニットによれば、天井面と床面を備えた建物躯体に対して下地材を固定し、下地材に対してボックス本体を取付け、ボックス本体は前面に開閉自在な開き扉を有し、下部下地材はパネル固定部と内周面部と当接面部とからなり、当接面部は前端部分が切欠かれた切欠部を有し、ボックス本体は側面を構成するパネル体と、前面を構成する枠形状の前面フレーム体とを有し、パネル体は下部下地材のパネル固定部に載置固定され、前面フレーム体の縦フレーム材は下端部が下部下地材の切欠部に配置され固定されることにより、予め建物躯体に対しメーターボックスユニットの形状を形成しておく必要がなく、メーターボックスユニットを建物躯体の任意の位置に配置することができる。また、切欠部によって縦フレーム材が下部下地材から前方に飛び出さないようにすることができ、前面フレーム体の納まりをよくして、パネル体と前面フレーム体及び開き扉によるすっきりした外観とすることができる。
【００１１】
また、本発明に係るメーターボックスユニットによれば、上部下地材は上面部と上内周面部と上当接面部とからなり、上当接面部は前端部分が切欠かれた上切欠部を有し、前面フレーム体を構成する縦フレーム材は上端部が上部下地材の上切欠部に配置され固定されることにより、上部においても前面フレーム体の納まりをよくすることができる。
【００１２】
さらに、本発明に係るメーターボックスユニットによれば、前面フレーム体を構成する上フレーム材と下フレーム材は前面が平面状に形成されると共に、開き扉の前面と略面一状とされることにより、意匠性を向上させることができる。
【００１３】
さらにまた、本発明に係るメーターボックスユニットによれば、下部下地材の切欠部に配置された縦フレーム材は内周面部の内周面側から挿通される締結具により固定されることにより、縦フレーム材を下部下地材に対して容易に固定することができる。
【００１４】
そして、本発明に係るメーターボックスユニットによれば、下地材及び前面フレーム体は金属材からなり、パネル体は軽量気泡コンクリート板からなることにより、メーターボックスユニットを簡易に組み立てることができる。
【発明を実施するための最良の形態】
【００１５】
本発明の実施形態について図面に沿って詳細に説明する。図１には、本実施形態におけるメーターボックスユニット１が取付けられた建物躯体３０の正面図を示している。この図に示すように、本実施形態において建物躯体３０は、互いに平行な天井面３１と床面３２を有し、これら天井面３１と床面３２の間の領域の任意の位置に、メーターボックスユニット１が設けられる。建物躯体３０は、鉄筋コンクリート（ＲＣ）造または鉄骨鉄筋コンクリート（ＳＲＣ）造によって形成される。
【００１６】
本実施形態のメーターボックスユニット１は、正面視においてボックス本体３が露出するように構成されており、ボックス本体３は上下に前面フレーム体２１が露出すると共に、前面フレーム体２１には観音開き状に２枚の開き扉４が開閉自在に保持されている。開き扉４を手前側に開くと、内部には電気やガス等のメーター類（図示しない）が配設されている。
【００１７】
図２には、開き扉４を省略したメーターボックスユニット１の正面図を示している。この図に示すように、前面フレーム体２１は、上フレーム材２２と下フレーム材２３及び左右の縦フレーム材２４、２４を方形状に組んだ枠形状に形成されている。各フレーム材は、いずれも金属材によって形成されている。また、縦フレーム材２４の外側には、ボックス本体３の側面を構成するパネル体２０が配置されている。
【００１８】
上フレーム材２２と下フレーム材２３は、いずれも上下方向に幅広状となるように形成されており、一方で縦フレーム材２４は、上下フレーム材２２、２３よりも幅狭に形成されると共に、上下端部が上下フレーム材２２、２３の後方に配置され、連結固定されている。これら各フレーム材により構成された前面フレーム体２１は、建物躯体３０の天井面３１及び床面３２にそれぞれ固定された下地材２に対して固定される。
【００１９】
図３には、メーターボックスユニット１の縦断面図を示している。この図は、図１の左側であって開き扉４の背面より奥側を、開き扉４と平行な面で切った縦断面図である。図３に示すように、建物躯体３０の天井面３１と床面３２には、それぞれ下地材２として上部下地材１０と下部下地材１５が固定される。上部下地材１０は、天井面３１に対し奥行き方向に沿ってボックス本体３の左右両端にそれぞれ設けられ、また天井面３１に対して直接当接し、アンカー５で固定される。下部下地材１５は、床面３２に対して奥行き方向に沿ってボックス本体３の左右両端にそれぞれ設けられ、下部下地材１５の下部にはモルタル６が設けられると共に、床面３２に対してアンカー５で固定される。
【００２０】
前述のように、前面フレーム体２１を構成する縦フレーム材２４は、下地材２に対して連結固定される。具体的には図３に示すように、上端部において上部下地材１０に対し締結具２５により連結固定され、下端部において下部下地材１５に対して締結具２５により連結固定される。また、縦フレーム材２４の外側位置には、ボックス本体３の側面を構成するパネル体２０が配置される。パネル体２０は、軽量気泡コンクリート板からなり、上部下地材１０及び下部下地材１５に沿うように配置される。
【００２１】
上部下地材１０は、天井面３１と平行でかつ当接する上面部１１と、上面部１１の内側端部から下方に延出される上内周面部１２と、上内周面部１２の下端から外方、すなわちパネル体２０側に向かって延出される上当接面部１３とが一体的に形成された金属製の型材からなっている。
【００２２】
上当接面部１３は、断面略Ｌ字状に形成されて、パネル体２０の内側面に当接するパネル当接面１３ａを有している。また、前面フレーム体２１を構成する縦フレーム材２４は、上端位置において上部下地材１０の上内周面部１２に対してスペーサ３５を介して当接し、上内周面部１２にボックス本体３の内側から挿通される締結具２５により連結固定される。
【００２３】
下部下地材１５は、床面３２と平行なパネル固定部１６と、パネル固定部１６の内側端部から上方に延出される内周面部１７と、内周面部１７の上端から外方、すなわちパネル体２０側に向かって延出される当接面部１８とが一体的に形成された金属製の型材からなっている。パネル固定部１６と床面３２の間には、前述のようにモルタル６が設けられている。パネル固定部１６の上面は、パネル体２０の下面が載置される載置面１６ａとされている。
【００２４】
当接面部１８は、断面略Ｌ字状に形成されて、パネル体２０の内側面に当接するパネル当接面１８ａを有している。また、縦フレーム材２４は、下端位置において下部下地材１５の内周面部１７に対してスペーサ３５を介して当接し、内周面部１７にボックス本体３の内側から挿通される締結具２５により連結固定される。
【００２５】
図４には、メーターボックスユニット１の横断面図を示している。この図は、メーターボックスユニット１の前面側でかつ左右方向一方側のみを示している。この図に示すように、下部下地材１５の前端部分は、当接面部１８が切欠かれて切欠部１９を構成している。この切欠部１９に縦フレーム材２４の下端部分が配置される。そして、縦フレーム材２４の前面と下部下地材１５の前端とが面一状となるようにされている。
【００２６】
縦フレーム材２４の前面及び下部下地材１５の前端のさらに前面側には、開き扉４が配置される。開き扉４は、外側面がパネル体２０の外側面よりも外方に位置するように配置されており、前面側から見た時に縦フレーム材２４及びパネル体２０が隠れるようにすることができ、すっきりした外観をなすようにしている。
【００２７】
なお、開き扉４は上下フレーム材２２、２３にヒンジを介して開閉自在に取付けられる。図示しないが具体的には以下のように取付けられる。上下フレーム材２２、２３と開き扉４のコーナー部に、それぞれ支持部品を取付ける。支持部品として上フレーム材２２には、ツボ型の受け金具を取付け、下フレーム材２３には上向きの上下動可能な軸部材を取付ける。また、支持部材として開き扉４の上端には軸部材を取付け、開き扉４の下端にはツボ型の受け金具を取付ける。
【００２８】
また、上部下地材１０も同様の構成を有しており、すなわち前端部分において上当接面部１３が切欠かれて上切欠部が形成され、この上切欠部に縦フレーム材２４の上端部分が配置され、縦フレーム材２４の前面と上部下地材１０の前端とが面一状となるようにされている。
【００２９】
図５には、メーターボックスユニット１の縦断面図を示している。この図は、メーターボックスユニット１の前面側について、開き扉４と垂直な面で切った断面図である。この図に示すように開き扉４は、前面が上フレーム材２２と下フレーム材２３の前面よりやや奥まった位置であるものの、略面一状となるように配置されている。縦フレーム材２４は、前述のように前面側から見た時に開き扉４によって隠されているため、前面側に露出する上フレーム材２２と下フレーム材２３及び開き扉４が略面一状の平面を構成するようにすることで、意匠性を高めることができる。
【００３０】
このように、建物躯体３０の天井面３１と床面３２にそれぞれ下地材２を設け、この下地材２に対してパネル体２０及び前面フレーム体２１を取付固定し、前面フレーム体２１で開き扉４を保持してメーターボックスユニット１を形成するようにしたので、予めメーターボックスユニット１の形状を建物躯体３０と一体的にコンクリートで形成しておく必要がなく、メーターボックスユニット１を建物躯体３０の任意の位置に配置することができる。
【００３１】
以上、本発明の実施形態について説明したが、本発明の適用はこれら実施形態には限られず、その技術的思想の範囲内において様々に適用されうるものである。例えば、本実施形態では開き扉４を２枚設けて観音開き状に開閉するように構成したが、開き扉４は片開き状であってもよく、また１枚が開閉自在となるように構成してもよい。
【００３２】
また、開き扉４は本実施形態においては縦フレーム材２４を覆うように形成されているが、左右の縦フレーム材２４の前面側にはそれぞれ鋼製パネルを取付け、この鋼製パネル間の領域に開き扉４を設けるようにしてもよい。
【図面の簡単な説明】
【００３３】
【図１】本実施形態におけるメーターボックスユニットが取付けられた建物躯体の正面図である。
【図２】開き扉を省略したメーターボックスユニットの正面図である。
【図３】メーターボックスユニットの縦断面図である。
【図４】メーターボックスユニットの横断面図である。
【図５】メーターボックスユニットの縦断面図である。
【符号の説明】
【００３４】
１    メーターボックスユニット
２    下地材
３    ボックス本体
４    開き扉
５    アンカー
６    モルタル
１０    上部下地材
１１    上面部
１２    上内周面部
１３    上当接面部
１３ａ  パネル当接面
１５    下部下地材
１６    パネル固定部
１６ａ  載置面
１７    内周面部
１８    当接面部
１８ａ  パネル当接面
１９    切欠部
２０    パネル体
２１    前面フレーム体
２２    上フレーム材
２３    下フレーム材
２４    縦フレーム材
２５    締結具
３０    建物躯体
３１    天井面
３２    床面
３５    スペーサ
【図１】
2010095933.tif 000003
【図２】
2010095933.tif 000004
【図３】
2010095933.tif 000005
【図４】
2010095933.tif 000006
【図５】
2010095933.tif 000007